(57)【要約】【課題】  洗浄水流通管及び濯ぎ水流通管のレイアウトを単純化することができる食器洗浄機を提供する。【解決手段】  食器洗浄機１においては、濯ぎ水供給ポンプと各濯ぎノズル１３，１５とを結ぶ濯ぎ水流通管７０が、洗浄水供給ポンプ１９と各洗浄ノズル１２，１４とを結ぶ洗浄水流通管６０内に配置され、しかも、濯ぎ水流通管７０が洗浄水吐出口３２を介して洗浄水供給ポンプ１９のケーシング３３を貫通している。これにより、洗浄水供給ポンプ１９から各ノズル１２〜１５までは、洗浄水流通管６０と濯ぎ水流通管７０とによる二重構造の流通管が配管されることになるため、洗浄水流通管６０及び濯ぎ水流通管７０のレイアウトを単純化することができる。【選択図】  図２
2005230192.tif 000002
【特許請求の範囲】
【請求項１】
食器類が収容された洗浄室内に洗浄ノズルから洗浄水を噴射させて前記食器類の洗浄を行い、前記洗浄室内に濯ぎノズルから濯ぎ水を噴射させて前記食器類の濯ぎを行う食器洗浄機において、
前記洗浄ノズルに一端が接続される洗浄水流通管と、
前記洗浄水流通管内に配置され、前記濯ぎノズルに一端が接続される濯ぎ水流通管とを備え、
前記洗浄水流通管の他端は、洗浄水供給ポンプのケーシングに設けられた洗浄水吐出口に接続され、
前記濯ぎ水流通管は、前記洗浄水吐出口を介して前記ケーシングを貫通し、前記濯ぎ水流通管の他端は、濯ぎ水供給ポンプの濯ぎ水吐出口に接続されることを特徴とする食器洗浄機。
【請求項２】
前記洗浄水流通管は、前記洗浄水吐出口に接続される上流側洗浄水流通管と、前記洗浄ノズルに接続される下流側洗浄水流通管とを有し、前記上流側洗浄水流通管と前記下流側洗浄水流通管とは、前記洗浄室内から着脱自在となるように連結されており、
前記濯ぎ水流通管は、前記濯ぎ水吐出口に接続される上流側濯ぎ水流通管と、前記濯ぎノズルに接続される下流側濯ぎ水流通管とを有し、前記上流側濯ぎ水流通管と前記下流側濯ぎ水流通管とは、前記洗浄室内から着脱自在となるように連結されていることを特徴とする請求項１記載の食器洗浄機。
【発明の詳細な説明】
【技術分野】
【０００１】
本発明は、皿や茶碗等の食器類の洗浄及び濯ぎを行う食器洗浄機に関する。
【背景技術】
【０００２】
従来の食器洗浄機として、洗浄水を噴射する洗浄ノズルを洗浄室内の上部と下部とに設け、更に、濯ぎ水を噴射する濯ぎノズルを洗浄室内の上部と下部とに設けたものがある（例えば、特許文献１参照）。このような食器洗浄機では、洗浄室の下側に機械室が設けらており、この機械室内には、洗浄ノズルに洗浄水を供給するための洗浄ポンプや、濯ぎノズルに濯ぎ水を供給するための濯ぎポンプ等が収容されている。
【特許文献１】特開２００２−２７２６６５号公報
【発明の開示】
【発明が解決しようとする課題】
【０００３】
しかしながら、上述したような食器洗浄機にあっては、洗浄ポンプと洗浄ノズルとを結ぶ洗浄水流通管、及び濯ぎポンプと濯ぎノズルとを結ぶ濯ぎ水流通管が別々に配管されるのが一般的であるため、洗浄室内における洗浄水流通管及び濯ぎ水流通管のレイアウトが複雑化し、その結果、洗浄室内のスペースが狭くなったり、各流通管のメンテナンス性が低下したりするおそれがある。
【０００４】
そこで、本発明は、このような事情に鑑みてなされたものであり、洗浄水流通管及び濯ぎ水流通管のレイアウトを単純化することができる食器洗浄機を提供することを目的とする。
【課題を解決するための手段】
【０００５】
上記目的を達成するために、本発明に係る食器洗浄機は、食器類が収容された洗浄室内に洗浄ノズルから洗浄水を噴射させて食器類の洗浄を行い、洗浄室内に濯ぎノズルから濯ぎ水を噴射させて食器類の濯ぎを行う食器洗浄機において、洗浄ノズルに一端が接続される洗浄水流通管と、洗浄水流通管内に配置され、濯ぎノズルに一端が接続される濯ぎ水流通管とを備え、洗浄水流通管の他端は、洗浄水供給ポンプのケーシングに設けられ洗浄水吐出口に接続され、濯ぎ水流通管は、洗浄水吐出口を介してケーシングを貫通し、濯ぎ水流通管の他端は、濯ぎ水供給ポンプの濯ぎ水吐出口に接続されることを特徴とする。
【０００６】
この食器洗浄機においては、濯ぎ水供給ポンプと濯ぎノズルとを結ぶ濯ぎ水流通管が、洗浄水供給ポンプと洗浄ノズルとを結ぶ洗浄水流通管内に配置され、しかも、当該濯ぎ水流通管が洗浄水吐出口を介して洗浄水供給ポンプのケーシングを貫通している。これにより、洗浄水供給ポンプから各ノズルまでは、洗浄水流通管と濯ぎ水流通管とによる二重構造の流通管が配管されることになるため、洗浄水流通管及び濯ぎ水流通管のレイアウトを単純化することができる。
【０００７】
また、洗浄水流通管は、洗浄水吐出口に接続される上流側洗浄水流通管と、洗浄ノズルに接続される下流側洗浄水流通管とを有し、上流側洗浄水流通管と下流側洗浄水流通管とは、洗浄室内から着脱自在となるように連結されており、濯ぎ水流通管は、濯ぎ水吐出口に接続される上流側濯ぎ水流通管と、濯ぎノズルに接続される下流側濯ぎ水流通管とを有し、上流側濯ぎ水流通管と下流側濯ぎ水流通管とは、洗浄室内から着脱自在となるように連結されていることが好ましい。このように、上流側洗浄水流通管と下流側洗浄水流通管との連結、及び上流側濯ぎ水流通管と下流側濯ぎ水流通管との連結が洗浄室内から着脱自在となるように行われているため、下流側洗浄水流通管及び下流側濯ぎ水流通管を洗浄室側から容易に着脱することができる。しかも、下流側洗浄水流通管及び下流側濯ぎ水流通管は二重構造の流通管として一体化されているため、下流側洗浄水流通管及び下流側濯ぎ水流通管を極めて容易に取り扱うことができる。従って、下流側洗浄水流通管及び下流側濯ぎ水流通管の配管作業性やメンテナンス性を向上させることが可能になる。
【発明の効果】
【０００８】
本発明によれば、洗浄水流通管及び濯ぎ水流通管のレイアウトを単純化することができる。
【発明を実施するための最良の形態】
【０００９】
以下、本発明に係る食器洗浄機の好適な実施形態について、図面を参照して詳細に説明する。
【００１０】
図１及び図２に示すように、食器洗浄機１は、ステンレス製の洗浄機本体２を有している。この洗浄機本体２は、洗浄室３が形成された上側部分２ａと、機械室４が形成された下側部分２ｂとに仕切られており、洗浄機本体２の背面側の角部には、上側部分２ａと下側部分２ｂとに渡って一対の支柱６が延在している。また、洗浄機本体２の上側部分２ａには、洗浄室３の開閉を行うための箱型のドア７が設けられている。このドア７は、一対の支柱６により上下動自在に案内されており、前方において水平方向に延在するハンドル８により上下動させられて、洗浄室３の開閉が行われる。なお、洗浄機本体２の底面の四隅には脚部９が取り付けられており、食器洗浄機１の安定した設置が可能となっている。
【００１１】
上述した洗浄室３内には、ラックレール１１が着脱自在に配置されており、このラックレール１１上に、飲食後の食器類が並べられた格子状の食器ラック（図示せず）が載置される。更に、洗浄室３内の上部には、放射状に延びる３本のアームを有する上側洗浄ノズル１２と、一直線状に延びる２本のアームを有する上側濯ぎノズル１３とが同一軸線上において回転自在に配置されている。同様に、洗浄室３内の下部には、下側洗浄ノズル１４と下側濯ぎノズル１５とが同一軸線上において回転自在に配置されている。
【００１２】
このような構成を有する洗浄室３の底部には、機械室４内に突出するように洗浄水タンク１７が一続きで形成されており、洗浄室３と洗浄水タンク１７との間には、フィルタ１８が着脱自在に配置されている。この洗浄水タンク１７の前面には、洗浄水タンク１７内に洗浄水吸込口３１及び洗浄水吐出口３２が開口するように洗浄水供給ポンプ（以下「洗浄ポンプ」という）１９がブラケット２０を介して取り付けられている。この洗浄ポンプ１９の洗浄水吐出口３２と各洗浄ノズル１２，１４とは、洗浄水タンク１７内及び洗浄室３内を通る洗浄水流通管６０により結ばれている。この洗浄水流通管６０は、洗浄水吐出口３２に接続される上流側洗浄水流通管６１と、各洗浄ノズル１２，１４に接続される下流側洗浄水流通管６２とにより構成されている。なお、洗浄ポンプ１９は、インペラ収容用のケーシング３３を下側にした状態（すなわち、モータ３４を上側にした状態）で縦置きされると共に、洗浄水タンク１７内に洗浄水吸込口３１及び洗浄水吐出口３２が開口するように洗浄タンク１７に取り付けられているため、機械室４内のスペースの有効利用を図ることができる。
【００１３】
更に、機械室４内には、外部の給湯器（図示せず）から濯ぎ水が供給される濯ぎ水タンク２２が収容されており、この濯ぎ水タンク２２は、接続管（図示せず）を介して濯ぎ水供給ポンプ（以下「濯ぎポンプ」という）２４の濯ぎ水吸込口（図示せず）と結ばれている。この濯ぎポンプ２４もまた、インペラ収容用のケーシングを下側にした状態（すなわち、モータを上側にした状態）で縦置きされているため、機械室４内のスペースの有効利用を図ることができる。この濯ぎポンプ２４の濯ぎ水吐出口３６と各濯ぎノズル１３，１５とは、少なくとも一部が洗浄水流通管６０内を通る濯ぎ水流通管７０により結ばれており、この濯ぎ水流通管７０は、洗浄水流通管６０内から洗浄水吐出口３２を通って、洗浄ポンプ１９のケーシング３３を貫通している。そして、濯ぎ水流通管７０もまた、濯ぎ水吐出口３６に接続される上流側濯ぎ水流通管７１と、各濯ぎノズル１３，１５に接続される下流側濯ぎ水流通管７２とにより構成されている。なお、機械室４内には、食器洗浄機１の動作全般を制御するマイクロコンピュータ等が内蔵された電装ボックス（図示せず）等も収容されている。
【００１４】
ここで、上述した食器洗浄機１の動作について説明する。運転開始ボタンがＯＮにされると洗浄ポンプ１９が始動する。これにより、洗浄水タンク１７内に貯留されていた洗浄水は、洗浄水流通管６０を通って上下の洗浄ノズル１２，１４に圧送され、各洗浄ノズル１２，１４から食器類に向けて噴射される。このとき、各洗浄ノズル１２，１４は洗浄水の噴射反力によって回転するため、洗浄水が食器類に満遍なく当てられて、食器類の汚れが効率良く洗い落とされる。この食器類に噴射された洗浄水は、食器類から洗い落とされた残菜等の汚損物がフィルタ１８により取り除かれつつ洗浄水タンク１７内に回収され、洗浄ポンプ１９により循環供給される。
【００１５】
このような食器類の洗浄が所定時間行われると、洗浄ポンプ１９が停止し、その後、濯ぎポンプ２４が始動する。これにより、濯ぎ水タンク２２内に貯留されていた濯ぎ水は、濯ぎ水流通管７０を通って上下の濯ぎノズル１３，１５に圧送され、各濯ぎノズル１３，１５から食器類に向けて噴射される。このとき、各濯ぎノズル１３，１５もまた、濯ぎ水の噴射反力によって回転するため、濯ぎ水が食器類に満遍なく当てられて、食器類の濯ぎが効率良く行われる。この食器類に噴射された濯ぎ水は、フィルタ１８を通って洗浄水タンク１７内に回収され、次回の食器類の洗浄において洗浄水として利用される。このような食器類の濯ぎが所定時間行われると、濯ぎポンプ２４が停止して、食器洗浄機１の１サイクルの動作が完了する。
【００１６】
ところで、このような食器洗浄機１の動作においては、食器類の洗浄中に噴射された洗浄水が、特に下側濯ぎノズル１５の濯ぎ水噴射孔から濯ぎ水流通管７０内に浸入し、最悪の場合、洗剤成分や汚れを含んだ洗浄水が濯ぎ水タンク２２内に逆流するおそれがある。しかしながら、食器洗浄機１では、図１に示すように、洗浄ポンプ１９と濯ぎポンプ２４との間において上流側濯ぎ水流通管７１がループ状のトラップ構造とされているため、洗剤成分や汚れを含んだ洗浄水が濯ぎ水タンク２２内に逆流するのを防止することができる。
【００１７】
次に、上述した洗浄ポンプ１９、洗浄水流通管６０及び濯ぎ水流通管７０について、より詳細に説明する。
【００１８】
図３及び図４に示すように、洗浄ポンプ１９は、洗浄水吐出口３２からケーシング３３内に進入してその壁部を下方に向かって貫通する管体３７を有している。これらのケーシング３３及び管体３７は、樹脂により一体成形されるのが好ましい。管体３７を含むケーシング３３の作製を容易化することができるし、水漏れを防止することができるからである。そして、管体３７の端部３７ａには、濯ぎ水ポンプ２４の濯ぎ水吐出口３６に接続される管体３８の端部３８ａがＯリング３９を介して嵌合され、これにより、管体３７と管体３８とが接続されて上流側濯ぎ水流通管７１が構成される。また、洗浄ポンプ１９のケーシング３３において洗浄水吐出口３２が形成された端部３３ａには、上流側洗浄水流通管６１の端部６１ａがＯリング３９を介して嵌合されている。この上流側洗浄水流通管６１は金属製であり、金属製の洗浄水タンク１７の壁部を貫通した状態で当該壁部に溶接固定されている。この溶接固定により、洗浄水タンク１７と上流側洗浄水流通管６１との接続部からの水漏れを防止することができ、しかも、当該接続部の強度を向上させることができる。
【００１９】
なお、各端部３７ａ，３８ａに形成されたフランジには着脱自在な継手４１が嵌められており、各端部３３ａ，６１ａに形成されたフランジには着脱自在な継手４２が嵌められている。これにより、継手４１を外せば端部３７ａと端部３８ａとの連結が解除され、継手４２を外せば端部３３ａと端部６１ａとの連結が解除されることになるため、ブラケット２０を洗浄水タンク１７の壁部に締結させているボルト４３を外せば、洗浄ポンプ１９を取り外すことができる。このように洗浄ポンプ１９を容易に取り外すことができるため、洗浄ポンプ１９のメンテナンス性を向上させることができる。
【００２０】
また、図３及び図５に示すように、上流側洗浄水流通管６１において洗浄水タンク１７内に突出する端部６１ｂには、下流側洗浄水流通官６２の端部６２ａがＯリング３９を介して嵌合され、上流側濯ぎ水流通管７１の管体３７の端部３７ｂには、下流側濯ぎ水流通官７２の端部７２ａがＯリング３９を介して嵌合されている。ここで、下流側洗浄水流通管６２及び下流側濯ぎ水流通管７２は、図５に示すように、二重構造の流通管として一体化されているため、各端部６２ａ，７２ａを洗浄室３内から洗浄水タンク１７内へ進入させて各端部６１ｂ，３７ｂに嵌合させることで、上流側洗浄水流通管６１と下流側洗浄水流通管６２との連結、及び上流側濯ぎ水流通管７１と下流側濯ぎ水流通管７２との連結を洗浄室３内から行うことができる。なお、上流側洗浄水流通管６１と下流側洗浄水流通管６２との連結の解除、及び上流側濯ぎ水流通管７１と下流側濯ぎ水流通管７２との連結の解除も当然に洗浄室３内から行うことができる。
【００２１】
以上のように構成された食器洗浄機１においては、濯ぎポンプ２４と各濯ぎノズル１３，１５とを結ぶ濯ぎ水流通管７０が、洗浄ポンプ１９と各洗浄ノズル１２，１４とを結ぶ洗浄水流通管６０内に配置され、しかも、濯ぎ水流通管７０が洗浄水吐出口３２を介して洗浄ポンプ１９のケーシング３３を貫通している。これにより、洗浄ポンプ１９から各ノズル１２〜１５までは、洗浄水流通管６０と濯ぎ水流通管７０とによる二重構造の流通管が配管されることになるため、洗浄水流通管６０及び濯ぎ水流通管７０のレイアウトを単純化することができる。従って、洗浄室３内のスペースが広がると共に、配管コストが安価となり、衛生面、清掃面、メンテナンス面等においてもメリットが得られる。更に、洗浄水流通管６０と濯ぎ水流通管７０とによる二重構造の流通管を配管するため、洗浄水流通管６０と濯ぎ水流通管７０とを別々に配管する場合に比べて、洗浄水タンク１７に形成すべき流通管挿通孔の数を１つ減少させることができる。
【００２２】
また、上流側洗浄水流通管６１と下流側洗浄水流通管６２との連結、及び上流側濯ぎ水流通管７１と下流側濯ぎ水流通管７２との連結が洗浄室３内から着脱自在となるように行われているため、下流側洗浄水流通管６２及び下流側濯ぎ水流通管７２を洗浄室３側から容易に着脱することができる。しかも、下流側洗浄水流通管６２及び下流側濯ぎ水流通管７２は二重構造の流通管として一体化されているため、下流側洗浄水流通管６２及び下流側濯ぎ水流通管７２を極めて容易に取り扱うことができる。従って、下流側洗浄水流通管６２及び下流側濯ぎ水流通管７２の配管作業性やメンテナンス性を向上させることが可能になる。
【００２３】
本発明は上記実施形態に限定されるものではない。例えば、上記実施形態は、洗浄ポンプ１９が縦置きの場合であったが、本発明では、洗浄ポンプは横置きであってもよい。また、洗浄ポンプ１９は、洗浄水タンク１７の側面に限らず、例えば、上流側洗浄水流通管６１を延在させて、機械室４の底面に配置するようにしてもよい。この場合、上流側洗浄水流通管６１は、洗浄水タンク１７に溶接固定される管体及び他の管体というように、複数の管体を接続することで構成するようにしてもよい。また、管体３７の端部３７ａは、ケーシング３３の下方に限らず、例えばケーシング３３の側方等、他の部分に配置するようにしてもよい。更に、上流側洗浄水流通管６１は、メンテナンス性を考慮してケーシング３３と別体としたが、ケーシング３３及び上流側洗浄水流通管６１を金属により一体物として、溶接固定等により洗浄水タンク１７に直接取り付けてもよい。この場合、洗浄水タンク１７内に突出する部分が、上流側洗浄水流通管６１となる。
【図面の簡単な説明】
【００２４】
【図１】本発明に係る食器洗浄機の一実施形態を示す斜視図である。
【図２】図１の食器洗浄機の内部を示す側面図である。
【図３】図２の食器洗浄機の要部を示す拡大図である。
【図４】洗浄ポンプを示す斜視図である。
【図５】二重構造の流通管を示す斜視図である。
【符号の説明】
【００２５】
１…食器洗浄機、３…洗浄室、１２…上側洗浄ノズル（洗浄ノズル）、１３…上側濯ぎノズル（濯ぎノズル）、１４…下側洗浄ノズル（洗浄ノズル）、１５…下側濯ぎノズル（濯ぎノズル）、１９…洗浄水供給ポンプ、２４…濯ぎ水供給ポンプ、３２…洗浄水吐出口、３３…ケーシング、３６…濯ぎ水吐出口、６０…洗浄水流通管、６１…上流側洗浄水流通管、６２…下流側洗浄水流通管、７０…濯ぎ水流通管、７１…上流側濯ぎ水流通管、７２…下流側濯ぎ水流通管。
【図１】
2005230192.tif 000003
【図２】
2005230192.tif 000004
【図３】
2005230192.tif 000005
【図４】
2005230192.tif 000006
【図５】
2005230192.tif 000007